(57)【要約】      （修正有）【課題】湾曲面を有する部材に対しても、きれいに貼り付けることのできる湾曲フィルムを提供する。【解決手段】湾曲フィルム１０は、平坦面２４と、この平坦面２４の周囲に配置され、平坦面２４に沿う方向から見たときに円弧を描くように湾曲した湾曲面２５とを外面２３に有するスマートフォン２０に貼り付けられるフィルムであって、平板状の平板部１１と、この平板部１１の周囲に配置され、平板部１１の板面に沿う方向から見たときに円弧を描くように湾曲した湾曲部１２とを有する。【選択図】図２
0003195707.tif 000002
【実用新案登録請求の範囲】
【請求項１】
平坦面と、この平坦面の周囲に配置され、前記平坦面に沿う方向から見たときに円弧を描くように湾曲した湾曲面とを外面に有する部材に貼り付けられる湾曲フィルムであって、
平板状の平板部と、この平板部の周囲に配置され、前記平板部の板面に沿う方向から見たときに円弧を描くように湾曲した湾曲部とを有する湾曲フィルム。
【請求項２】
下記式（１）で表される前記湾曲面の曲率半径ＲＰに対する前記湾曲部の曲率半径ＲＦの寸法許容差ＤＲが−２０％よりも大きく、＋５％未満であり、かつ、下記式（２）で表される前記湾曲面の中心核θＰに対する前記湾曲部の中心核θＦの寸法許容差Ｄθが−５％よりも大きく、＋１２％未満である、請求項１に記載の湾曲フィルム。
ＤＲ＝（ＲＰ−ＲＦ）／ＲＰ  …（１）
Ｄθ＝（θＰ−θＦ）／θＰ  …（２）
【請求項３】
前記湾曲部が配置されている範囲の比率が前記湾曲フィルムの全周の２０％以上である、請求項１または請求項２に記載の湾曲フィルム。
【請求項４】
前記湾曲フィルムの表面積に対する前記湾曲部の表面積の比率が０．２％以上４０％以下である、請求項１〜請求項３のいずれか１項に記載の湾曲フィルム。
【請求項５】
厚みが１３０μｍ以上２６５μｍ以下である、請求項１〜請求項４のいずれか１項に記載の湾曲フィルム。
【請求項６】
互いに重ね合わされた複数の層を有し、前記複数の層のうち前記湾曲フィルムの表裏面に配置される一対の最外層が互いに同じ材料により構成されている、請求項１〜請求項５のいずれか１項に記載の湾曲フィルム。
【考案の詳細な説明】
【技術分野】
【０００１】
本考案は、湾曲フィルムに関する。
【背景技術】
【０００２】
携帯電話やスマートフォンなどの携帯端末には、表示画面の保護を目的として、前面パネルにフィルムが貼り付けられることがある。このようなフィルムとして、従来、さまざまな種類のフィルムが提案されている（特許文献１参照）。
【先行技術文献】
【特許文献】
【０００３】
【特許文献１】特開２０１４−１４４６３２号公報
【考案の概要】
【考案が解決しようとする課題】
【０００４】
ところで、近年、意匠性の向上等を目的として、表示画面を構成する前面パネルの周縁部に湾曲面を有する携帯端末が開発されている。
【０００５】
このような湾曲面を有する前面パネルに対しては、湾曲面を除く平坦部にのみフィルムを張り付けたり、フィルムの端部を前面パネルの湾曲面に沿って曲げながら貼り付けたりしていた。しかし、このような貼り付け方では、湾曲面が充分に保護されず、割れ、傷つき易くなったり、フィルムの端部に浮きが発生して剥がれ易くなったりするという問題が生じる。
【０００６】
本考案は上記のような事情に基づいて完成されたものであって、湾曲面を有する部材に対しても、きれいに貼り付けることのできる湾曲フィルムを提供することを目的とする。
【課題を解決するための手段】
【０００７】
本考案は、平坦面と、この平坦面の周囲に配置され、前記平坦面に沿う方向から見たときに円弧を描くように湾曲した湾曲面とを外面に有する部材に貼り付けられる湾曲フィルムであって、平板状の平板部と、この平板部の周囲に配置され、前記平板部の板面に沿う方向から見たときに円弧を描くように湾曲した湾曲部とを有する。
上記の構成によれば、湾曲面に湾曲部がフィットするので、部材の外面に湾曲フィルムをきれいに貼り付けることができる。
【考案の効果】
【０００８】
本考案によれば、湾曲面を有する部材に対しても、きれいに貼り付けることのできる湾曲フィルムを提供することができる。
【図面の簡単な説明】
【０００９】
【図１】実施形態の湾曲フィルムおよびスマートフォンの斜視図
【図２】実施形態の湾曲フィルムおよびスマートフォンの断面図
【図３】実施形態の湾曲フィルムおよび前面パネルの周縁部の部分拡大図
【図４】湾曲フィルムの層構成を示す部分断面図
【考案を実施するための形態】
【００１０】
実施形態を、図１〜図４を参照しつつ説明する。
本実施形態の湾曲フィルム１０は、外面２３に湾曲面２５を有するスマートフォン２０（平坦面と湾曲面とを外面に有する部材の１種）に貼り付けられるものである。
【００１１】
スマートフォン２０は、図１に示すように、ケース２１と、前面パネル２２とを有している。ケース２１は、開口部２１Ａを有する扁平な矩形の容器であって、内部には、詳細に図示しないが、基板や電子デバイス等が収容されている。前面パネル２２は、全体として長方形の板状の部材であって、ケース２１の開口部２１Ａに覆い付けられている。
【００１２】
前面パネル２２の外面２３（ケース２１とは反対側を向く面；図２の上面）は、平坦面２４と、湾曲面２５とを有している。平坦面２４は、前面パネル２２の外面２３において周縁部を除く部分に配された平坦な部分である。湾曲面２５は、前面パネル２２の周縁部に配置されており、図２に示すように、外側に行くほどケース２１に近づくように、かつ、前面パネル２２の外面２３に沿う方向（図２の紙面に垂直な方向）から見たときに外側（ケース２１と反対側）に凸となる円弧を描くように湾曲している。湾曲面２５は、外面２３の全周にわたって配置されている。
【００１３】
湾曲フィルム１０は、図１に示すように、前面パネル２２に貼り付けられる合成樹脂製の薄いフィルムであって、平板部１１と、湾曲部１２とを有している。平板部１１は、湾曲フィルム１０において周縁部を除く部分に配された平板状の部分である。湾曲部１２は、湾曲フィルム１０の周縁部に配置され、図２に示すように、外側に行くほど平板部１１の板面を含む平面Ｆから離れるように、かつ、平板部１１の板面に沿う方向（図２の紙面に垂直な方向）から見たときに平面Ｆ側に凸となる円弧を描くように湾曲している。湾曲部１２は、湾曲フィルム１０の全周にわたって配置されている。
【００１４】
湾曲部１２は、湾曲フィルム１０が貼り付けられるスマートフォン２０の湾曲面２５の形状に可能な限り近い形状となっていることが好ましい。具体的には、下記式（１）で表される湾曲面２５の曲率半径ＲＰに対する湾曲部１２の曲率半径ＲＦの寸法許容差ＤＲが−２０％よりも大きく、＋５％未満であり、かつ、下記式（２）で表される湾曲面２５の中心核θＰに対する湾曲部１２の中心核θＦの寸法許容差Ｄθが−５％よりも大きく、＋１２％未満であることが好ましい（図３参照）。
【００１５】
ＤＲ＝（ＲＰ−ＲＦ）／ＲＰ  …（１）
Ｄθ＝（θＰ−θＦ）／θＰ  …（２）
【００１６】
曲率半径の寸法許容差ＤＲが−２０％よりも大きく、かつ、中心核の寸法許容差Ｄθが＋１２％未満であると、湾曲面２５と湾曲部１２との間に気泡が入りにくく、好ましい。また曲率半径の寸法許容差ＤＲが＋５％未満であり、かつ、中心核の寸法許容差Ｄθが−５％よりも大きいと、湾曲面２５に湾曲部１２が十分にフィットして浮きや剥がれが発生しにくくなり、好ましい。
【００１７】
なお、上記の湾曲フィルム１０は、湾曲部１２が湾曲フィルム１０の全周にわたって配置されているが、湾曲部１２は必ずしも湾曲フィルム１０の全周にわたって設けられていなくても構わない。湾曲部１２が湾曲フィルム１０の周縁の一部に配置されている場合、湾曲フィルム１０の周縁部において、湾曲部１２が配置されている範囲の比率が湾曲フィルム１０の全周の長さの２０％以上であることが好ましい。
【００１８】
また、湾曲フィルム１０の表面積（平板部１１の表面積と湾曲部１２の表面積との合計）に対して、湾曲部１２の表面積の比率が０．２％以上４０％以下であることが好ましい。
【００１９】
湾曲フィルム１０は、図４に示すように、保護フィルム層１３（最外層に該当）、ハードコート層１４、メインフィルム層１５、粘着剤層１６、セパレータ層１７（最外層に該当）がこの順に重なった多層のフィルムである。
【００２０】
保護フィルム層１３は、湾曲フィルム１０の製造、流通の過程においてハードコート層１４を保護するための層であり、スマートフォン２０に貼り付けられたのちに剥がされる層である。保護フィルム層１３の材質としては、ポリエチレンテレフタレート、ポリウレタン、ポリオレフィン等を好ましく上げることができ、特にポリエチレンテレフタレートが好ましい。なお、保護フィルム層１３は、ハードコート層１４と対向する面にハードコート層１４との接着のための接着層を有していても構わない。
【００２１】
ハードコート層１４は、汚れが付着することを防止する機能を有する層である。ハードコート層１４の材質としては、例えばフッ素系ポリマーを好ましく挙げることができる。
【００２２】
メインフィルム層１５は、湾曲フィルム１０の基本的な形状を保持する基材としての機能を有する層である。メインフィルム層１５の材質としては、ポリエチレンテレフタレート、ポリウレタン、ポリオレフィン等を好ましく上げることができ、特にポリエチレンテレフタレートが好ましい。
【００２３】
粘着剤層１６は、メインフィルム層１５およびハードコート層１４をスマートフォン２０の前面パネル２２に粘着させる機能を有する層である。粘着剤層１６の材質としては、ウレタン系粘着剤、アクリル系粘着剤、シリコン系粘着剤等を好ましく上げることができる。
【００２４】
セパレータ層１７は、湾曲フィルム１０の製造、流通の過程において粘着剤層１６を保護するための層であり、スマートフォン２０に貼り付けられる際に剥がされる層である。セパレータ層１７の材質としては、ポリエチレンテレフタレート、ポリウレタン、ポリオレフィン等を好ましく上げることができ、特にポリエチレンテレフタレートが好ましい。
【００２５】
保護フィルム層１３とセパレータ層１７とは同一の材質のものであることが好ましい。湾曲フィルム１０が、表裏両面に同一の材質の層が配置されたサンドイッチ構造になっていることによって、製造工程で予定しない反りが発生することを回避できる。メインフィルム層１５も保護フィルム層１３とセパレータ層１７と同一の材質のものであれば、さらに好ましい。
【００２６】
湾曲フィルム１０の厚みは、１３０μｍ以上２６５μｍ以下であることが好ましい。厚みが１３０μｍ以上であると、スマートフォン２０に貼り付ける際に折れにくく、貼り付け作業がしやすい。厚みが２６５μｍ以下であると、湾曲部１２の形成の際に所望の角度に曲げやすく、湾曲フィルム１０に傷が入ってしまうことを回避できる。
【００２７】
上記のような湾曲フィルム１０は、例えば原材料である湾曲フィルム用シートに湾曲部１２を形成し、所定の大きさに裁断することにより製造できる。湾曲部１２の形成は、真空熱プレス、または通常の熱プレス等の一般的な方法により行うことができる。
【００２８】
以上のように本実施形態の湾曲フィルム１０は、前面パネル２２に湾曲面２５を有するスマートフォン２０に対しても、きれいに貼り付けることができる。
【００２９】
＜他の実施形態＞
本考案は上記記述及び図面によって説明した実施形態に限定されるものではなく、例えば次のような実施形態も本考案の技術的範囲に含まれる。
【００３０】
（１）上記実施形態では、湾曲フィルム１０が貼り付けられる部材がスマートフォンであったが、スマートフォンに限らず、携帯電話、ゲーム機、タブレット端末等の携帯端末、カーナビゲーションシステムの表示画面等の種々の部材に本考案の湾曲フィルムを好適に貼り付けることができる。
【００３１】
（２）上記実施形態では、湾曲フィルム１０は、保護フィルム層１３、ハードコート層１４、メインフィルム層１５、粘着剤層１６、セパレータ層１７がこの順に重なっているフィルムであったが、湾曲フィルムを構成する層の構成は任意であり、例えば保護フィルム層を備えていなくても構わない。
【００３２】
（３）保護フィルム層１３、ハードコート層１４、メインフィルム層１５、粘着剤層１６、セパレータ層１７の材質は上記実施形態の限りではなく、目的に応じて種々の材質のものを適用できる。
【符号の説明】
【００３３】
１０…湾曲フィルム
１１…平板部
１２…湾曲部
１３…保護フィルム層（最外層）
１７…セパレータ層（最外層）
２０…スマートフォン
２３…外面
２４…平坦面
２５…湾曲面
【図１】
0003195707.tif 000003
【図２】
0003195707.tif 000004
【図３】
0003195707.tif 000005
【図４】
0003195707.tif 000006